(57)【特許請求の範囲】
【請求項１】
左右の支柱と、支柱に係止して前方に突出する左右のブラケットと、左右のブラケットに載置する主天板と、主天板の下方に配置し前後にスライドする補助天板とを備え、主天板は、左右にエッジ材を有しており、エッジ材は、上横壁と、上横壁の外側端部から垂下する外竪壁と、外竪壁の上下方向中間部から内側に延びる下横壁と、下横壁の主天板下面側端部から垂下する内竪壁とを有し、上横壁に主天板の取付部を有すると共に、外竪壁と下横壁と内竪壁とでブラケットに係合するブラケット係合部を形成しており、内竪壁の補助天板側に補助天板をスライドさせるレール部を有することを特徴とする什器。
【請求項２】
エッジ材は、板材の上部を折り曲げて上横壁と外竪壁を形成すると共に、板材の下部に切り込み部を設け、切り込み部を挟んだ前後方向の一部を折り曲げて下横壁を形成し且つ下横壁の先端部を下向きに折り曲げて内竪壁を形成してあることを特徴とする請求項１記載の什器。
【発明の詳細な説明】
【技術分野】
【０００１】
本発明は、天板の上に商品を陳列するための什器に関するものである。
【背景技術】
【０００２】
１日あたりの販売量が多い食パンなどの商品を陳列する場合、従来は、非特許文献１にあるように、上面に天板を設ける箱型のワゴンを天板の下部に配置し、商品の量に応じて上記ワゴンを天板よりも手前に引き出して陳列スペースを調整するものがあった。
【非特許文献１】「タテヤマアドバンス  タテヤマゴンドラ  ０９８２２１２  ＳＥ  ０６−０３−２．（８）  Ｐ．１２５  左上図」  タテヤマアドバンス株式会社発行、平成１８年８月２７日独立行政法人工業所有権情報・研修館受領日」
【発明の開示】
【発明が解決しようとする課題】
【０００３】
しかしながら、商品の陳列スペースを調整するためのワゴンを配置することから、什器が割高なものになるという問題点があった。
本発明は、上記課題を鑑みてなされたものであり、主天板の下方にワゴンを配置しなくても陳列スペースを調整できる補助天板を有する什器を提供することにある。
【課題を解決するための手段】
【０００４】
本発明の請求項１記載の発明は、左右の支柱と、支柱に係止して前方に突出する左右のブラケットと、左右のブラケットに載置する主天板と、主天板の下方に配置し前後にスライドする補助天板とを備え、主天板は、左右にエッジ材を有しており、エッジ材は、上横壁と、上横壁の外側端部から垂下する外竪壁と、外竪壁の上下方向中間部から内側に延びる下横壁と、下横壁の主天板下面側端部から垂下する内竪壁とを有し、上横壁に主天板の取付部を有すると共に、外竪壁と下横壁と内竪壁とでブラケットに係合するブラケット係合部を形成しており、内竪壁の補助天板側に補助天板をスライドさせるレール部を有することを特徴とする。
【０００５】
本発明の請求項２記載の発明では、エッジ材は、板材の上部を折り曲げて上横壁と外竪壁を形成すると共に、板材の下部に切り込み部を設け、切り込み部を挟んだ前後方向の一部を折り曲げて下横壁を形成し且つ下横壁の先端部を下向きに折り曲げて内竪壁を形成してあることを特徴とする。
【発明の効果】
【０００６】
請求項１記載の発明によれば、商品の陳列スペースを調整するためにワゴンを設けなくてもよく、また、主天板を取り付けるためのブラケットについては、棚板を取り付けるブラケットと同様に簡易なものとなるので、安価に製造できると共に什器の組み立て施工も容易となる。また、主天板と補助天板が略同じ大きさであればブラケットを兼用できることから、さらに安価に製造することできる。
【０００７】
請求項２記載の発明によれば、請求項１記載の効果に加えて、エッジ材は、一枚の板材を折り曲げ且つ切り込み部を入れることで形成してあるので、製造コストをより一層抑えることができる。
【発明を実施するための最良の形態】
【０００８】
以下に、図面に基づいて本実施による接合形材の実施の形態を説明する。
図１（ａ）は、本実施による什器の正面図、（ｂ）は、（ａ）中Ａを拡大した正面図であり、（ｃ）は、側面図である。図２（ａ）は、本実施によるエッジ材の斜視図であり、（ｂ）は、エッジ材の展開図である。
【０００９】
本実施による什器は、図１（ａ）（ｂ）に示すように、左右の支柱５、５と、支柱５の正面側に係止して前方に突出する左右のブラケット３、３と、左右のブラケット３、３に載置する主天板１と、主天板１の下方に位置して前後にスライドする補助天板２とからなっており、主天板１は、一枚の金属板の前後端部を下方に折り曲げてあると共に、後側端部の左右側に切欠部が設けてあり、その切欠部に支柱５，５を呑み込ませるように形成してある。また、下端面の左右端部に夫々エッジ材４、４を有しており、エッジ材４、４は、主天板１を取り付ける取付部４ｂと、ブラケット３に係合するブラケット係合部４ａと、エッジ材４の主天板１の下面側に取り付けてあるレール部６を有しており、レール部６は、内側に開口した横向き略コ字状をなしており、ブラケット３の突出する方向に沿って前後方向に延びており、そのレール部６に沿って補助天板２を前後にスライド自在に取り付けてある。また、左右の支柱５、５の正面側には、上下に長い長孔状をなす被係止部７を有しており、被係止部７には、ブラケット３の背面側にある鉤状をなす係止部３ａを係止することができる。また、支柱５の下端部には脚部９を有している。
尚、符号１５は、左右の脚部９、９間を繋いで補強するために、脚部９、９の後部間に配置した補強材である。
【００１０】
エッジ材４は、図１（ｂ）及び図２（ａ）のように、一枚の金属板から上横壁１３と、上横壁１３の外側端部から垂下する外竪壁１０と、外竪壁１０の上下方向中間部から主天板１下面側に向けて上横壁１３と上下に平行して延びる下横壁１１と、下横壁１１の内側端部から垂下する内竪壁１２とを有しており、上横壁１３と外竪壁１０と下横壁１１とから横向き略コ字型をなし、上横壁１３の上面には、主天板１の左右いずれかの端部を取り付ける取付部４ｂを有すると共に、外竪壁１０と下横壁１１と内竪壁１２で下向き略コ字型をなすブラケット係合部４ａを有している。また、エッジ材４のブラケット係合部４ａは、図２（ｂ）のように、金属板（エッジ材４）を垂直にし、その下端縁の前後に間隔をあけた二箇所から上下の切り込み部を設け、切り込み部を挟む前後に位置する金属片を水平に折り曲げて下横壁１１を形成すると共に、下横壁１１の先端部を垂直に折り曲げて内竪壁１２を形成し、下横壁１１と内竪壁１２と外竪壁１０で囲まれた正面視下向き略コ字型に形成することで、ブラケット３の上方に取り付けることができるように構成してある。また、上記のように垂直にした金属板の上部を水平に折り曲げて上横壁１３を形成し、上横壁１３と外竪壁１０とブラケット係合部４ａの下横壁１１とから、正面視横向き略コ字型に形成し、上横壁１３の上面の取付部４ｂに主天板１端部の下端面を溶接している。
また、エッジ材４の外竪壁１０の内側面には、後方に突出し且つ上向きに屈曲した支柱係合部１８が溶接してあり、その屈曲部分を支柱５の被係止部７に係合してエッジ材４及び主天板１を支持している。
【００１１】
以上のように構成する本実施による什器は、左右のエッジ材４の内竪壁１２主天板１下面側面に有するレール部６の溝に、補助天板２の左右端面に取り付けてある略横向きコ字型をなすレールガイド部１４を嵌合することで、補助天板２がレール部６に沿って前後方向にスライド自在に取り付くことになる。
【００１２】
本発明は、上記の実施形態に限るものではなく、エッジ材４を構成する板材に設ける切り込み部の数を変更してブラケット係合部４ａの数を増減させてもよい。また、板材の形状は、エッジ材４を形成したときに、レール部６が主天板１の前後の長さと略同一の長さとなるものであればよい。また、図１（ａ）のように、主天板１のほか、支柱５の上下に棚板１６を複数取り付けてもよい。また、エッジ材４のブラケット係合部４ａを設ける位置や大きさ、数についても、補助天板２を取り付けるためのブラケットと兼用できると共に主天板１を安定して取り付けできればよく、特に限定するものではない。また、補助天板２の下部にスペースが形成されるので、スペースには必要に応じてワゴンや棚板を設けることができる。また、図３（ａ）のように、エッジ材４の上横壁１３の下方からネジ１７を差し込み、上横壁１３の上面に載置した主天板１の端部下端面に挿通して、エッジ材４に主天板１を固定してもよいし、さらに、図３（ｂ）のように、エッジ材４の上横壁１３を主天板１の側端部に水平方向に差し込み、上横壁１３と主天板１端部に対しボルト１７ａを垂直に貫通してナット１７ｂで締結してもよい。
【図面の簡単な説明】
【００１３】
【図１（ａ）（ｂ）（ｃ）】（ａ）は、本実施による什器の正面図であり、（ｂ）は、（ａ）中Ａを拡大した正面図であり、（ｃ）は、本実施による什器の側面図である。
【図２（ａ）（ｂ）】（ａ）は、本実施によるエッジ材の展開図であり、（ｂ）は、エッジ材に主天板、ブラケットを取り付けた状態を示す斜視図である。
【図３（ａ）（ｂ）】（ａ）（ｂ）は、本発明の他の実施形態を示す拡大縦断面図である。
【符号の説明】
【００１４】
１  主天板
２  補助天板
３  ブラケット
４  エッジ材
４ａ  ブラケット係合部
４ｂ，１７，１７ａ，１７ｂ  取付部
５  支柱
６  レール部
１０  外竪壁
１１  下横壁
１２  内竪壁
１３  上横壁
【図１（ａ）（ｂ）（ｃ）】
0005155029.tif 000002
【図２（ａ）（ｂ）】
0005155029.tif 000003
【図３（ａ）（ｂ）】
0005155029.tif 000004